(57)【要約】      （修正有）【課題】分解状態での保管時、輸送時に有利であるクッション組み換え容易なソファーを提供する。【解決手段】脚付き座板体１、及び座席部８と背凭れ部９を一体化したクッション体２からなる大型ソファーであって、脚付き座板体は、座板の表面に磁着可能な化粧板を張って長手方向の両隅に握り拳状の止め部５を持つ木製平板材４で、木製平板材の座板の裏面の両隅に４本の脚を持っており、クッション体は、座席部と背凭れ部とを連結して椅子状形態になった皮、又は布で外回りを縫製されたスポンジ体であって、座席部の上にマグネットが張り付けられている。座板体の表面にマグネットを底面に取り付けた肘掛部１２および関連用具を置くことができる。【選択図】図１
0003224799.tif 000002
【実用新案登録請求の範囲】
【請求項１】
脚付き座板体と座席部と背凭れ部からなるクッション体からなる大型ソファーで、脚付き座板体は、座板の表面に磁着可能な化粧板を張って長手方向の両隅に握り拳状の止め部を持つ木製平板材で、前記木製平板材の座板の裏面の両隅に４本の脚を持っており、クッション体は、座席部と背凭れ部とを連結して椅子状形態になった皮、又は布で外回りを縫製されたスポンジ体であって、前記座席部の上にマグネットを張り付け、前記座板体の表面にマグネットを底面に取り付けた肘掛部および関連用具を置くことができるようになっていることを特徴とするクッション組み換え容易なソファー。
【請求項２】
前記座板体の表面に張られた磁着可能な化粧板は、マグネット体を吸着させることができる２０〜５００μｍ厚さの突板、又は紙、又は樹脂フィルムから選ばれた表装材と２５〜２００μｍ厚さのスチール箔を木質上に張った磁着材料であり、前記座板体は、厚さ２０〜５０ｍｍ、横幅８００〜１０００ｍｍ、縦長さ２０００〜２５００ｍｍの木質平板材の表面に前記磁着材料である化粧板を貼着した積層体であって、前記化粧板の表面は強力な磁気吸着力を発揮できる強磁性体であることを特徴とする請求項１に記載のクッション組み換え容易なソファー。
【請求項３】
クッション体の座席部、及び肘掛部および関連用具の下に張るマグネットは、残留磁束密度（Ｂｒ）＝１〜１３ｋＧ，  保磁力（Ｈｃ）＝１〜１０ｋＯｅ、をもっているフェライト系、又は希土類系磁性体の固形体、又はシート体であって、シート体では張るマグネットは、フェライト系、希土類系磁石の粉末を樹脂、又はゴムとの混合した２〜７ｍｍ厚さのシート状にしたものであることを特徴とする請求項１、又は請求項２に記載のクッション組み換え容易なソファー。
【請求項４】
主要構成である脚付き座板体と座席部と背凭れ部からなるクッション体とからなるソファーは、中心座台に当たる脚付き座板体の上部に皮、又は布で外回りを縫製されたスポンジ状体に身体を寄せることが可能な座席部と背凭れ部とを連結して椅子状形態になって、裏面にマグネットを付けたクッション体を磁着させた大型ソファーであって、ソファー全体の高さ５００〜８００ｍｍ、奥行き８００〜１２００ｍｍ、幅２０００〜２５００ｍｍの寸法で、全体重量を３０ｋｇ以下のものであり、座板体に脚を付け、肘掛部とクッション体とに磁着させて、幅１５０〜３００ｍｍ、高さ３００〜５００ｍｍのマグネット付き肘掛部と関連用具部とを取り付けていることを特徴とする請求項１〜請求項３のいずれかに記載のクッション組み換え容易なソファー。
【請求項５】
座席部と背凭れ部からなるクッション体からなるソファーでの座席部と背凭れ部とを連結して椅子状形態になった皮、又は布で外回りを縫製されたスポンジ状体からなるクッション体の１〜３連体からなるソファーにおいて、座席部と背凭れ部クッション体の一体の寸法は、幅長さ５００〜７００ｍｍで、座席部の厚さ１３０〜１７０ｍｍ、幅８００〜１０００ｍｍで、背凭れ部の厚さ１５０〜１８０ｍｍ、高さ４００〜５００ｍｍであり、全体のクッション体の幅長さ５００〜２１００ｍｍであって、クッション体、肘掛部、関連用具部を、脚付き座板体から取り外し、組み換えして、簡単に磁着取り付けできることを特徴とする請求項１〜請求項３のいずれかに記載のクッション組み換え容易なソファー。
【考案の詳細な説明】
【技術分野】
【０００１】本考案は、脚付き座板体と座席部と背凭れ部からなるクッション体からなる大型ソファーで、脚付き座板体に座板の表面に磁着可能な化粧板を張り、クッション体にマグネットを貼って、必要に応じてソファーの状態を簡単に組み換えすることができる分解状態での保管時、輸送時の管理コストも低減できるクッション組み換え容易なソファーに関するものである。
【背景技術】
【０００２】マグネット吸着できる家具は多く提案されており、扉とか、前板、側板などに吸着できる化粧板を貼って、掲示用シートを貼ったり、棚を取り付けたり、写真を貼ったりした商品が多く開発されている。
上記したもののうち、組立状態、分解状態で可能な大型ソファーで、ソファー部を分解した状態での保管、輸送することが期待されている。組立・分解容易な大型ソファーで保管時、輸送時において管理コストの低減に対して直接影響を与えるため非常に課題が残っている。【０００３】目に届く箇所に計画表、投薬表等の紙片をマグネットの磁着可能な化粧版を取り付けていることによって紙片を容易に貼り付けることができる床頭台として、木製板材で構成された引き出、或は開き戸付き棚、或は小型冷蔵庫収納可能な空間棚、及びスライドテーブルを持つ収納部とその上段のテレビなどの載置台と、又は上部に開き戸付き棚部とからなる木製床頭台において、床頭台の両側板、及び１０００ｍｍ以上の高さにある上部位置になる開き戸の全部、又は５０％以上の面積部分に、表装材とスチール箔を含む化粧板を使用している商品が提案されている（特許文献１参照）。【０００４】リビングルーム内の床、壁、天井に設置して、種々の組み合わせで構成できるボード型家具において、装飾性、機能性を変更できるデザイン性フリーボード家具として、厚さ２０〜５０ｍｍ、横３００〜５００ｍｍ、縦３００〜５００ｍｍの寸法のフラッシュパネルで、細長コ字とロ字の結合型箱状体及びロの字型の箱体で、箱状体及び箱体の外面、及び内面に、表装材とスチール箔と合成板からなる化粧板を張ったものであり、箱状体及び箱体の２〜１０個を種々に組み合わせた家具形態を構成させ、箱状体と箱体の２〜１０個に組み立て、それぞれの箱状体と箱体の接合面にマグネットシートを咬み合わせて構成されている製品が提案されている（特許文献２参照）。【０００５】家具の趣を変え、家具表面の装飾性を一層向上させるために用いることができる、吸着性を有する使いやすい大型家具用装飾性マグネットシートとして、磁石粉を含有する合成樹脂、又は合成ゴムからなる磁石層の上面に、合成樹脂、又はゴム製の装飾性を施した印刷層が積層された縦２１０〜１０００ｍｍ、横２９７〜２０００ｍｍの寸法の大型マグネットシートであって、磁石層の厚さが０．１〜０．５ｍｍであるとともに、印刷層の厚さが０．０１〜０．１ｍｍで、印刷層の面積として０．０５〜２ｍ２のシート状形状になっている製品を提案されている（特許文献３参照）。【０００６】脚板と天板が安定した状態で組み付けることができて組み付け作業も簡単に行うことができ、また組み外した際にはコンパクトに収納させることができる他、部品点数を少なくて済ますことのできる組立テーブル及び組立椅子を提供することを目的として、２枚の脚板の中央を直角に組み合わせて脚部を構成すると共に、平面視十字状に組み合わせた脚板の上部外端近傍から上方に突出させてある突起を、該突起に合わせた位置に形成された上板の開孔に突入させて脚板と上板を一体的に組み合わせてなることが提供している（特許文献４参照）。【０００７】大型のソファーを分解して、簡単に組み立てできるような大型形状体ソファーについてはマグネットによって全体、部分的に分解、種々部品の嵌脱可能にしたものは存在していない。さらに磁着ソファーによって高層住宅、あるいは狭間の玄関をもつ建築物などへの搬入に便利にできるものはない。
【先行技術文献】
【特許文献】
【０００８】
【特許文献１】実用新案登録第３２０６７７７号公報、
【特許文献２】実用新案登録第３２１５１９０号公報
【特許文献３】実用新案登録第３２１２４６６号公報
【特許文献４】実開平５−４８７２７号公報
【考案の概要】
【考案が解決しようとする課題】
【０００９】肘掛部とソファー部からなる大型重量ソファーにおいて、肘掛部とソファー部と座板部と背板部との組立状態とでの嵌脱可能な大型ソファーは、スタッキングする際には何ら問題も生じないが、組立てた状態では、大型形状体ソファーを分解して、再度組み合わせすることは操作上で煩雑になっていることがあった。接合具を用いた組立てた状態の各部品への分解は非常に複雑であり、納入後においては煩雑であり、不慣れな者が行う場合には分解後部品の組み立てを行った大型ソファーが安全性で問題があった。大型のソファーを分解して、簡単に組み立てできるような大型重量のあるソファーについては部品の全体、部分的に座板部、ソファー部、肘掛部を簡単に嵌脱させるものは存在していない。さらに高層住宅、あるいは狭間の玄関をもつ建築物などへの搬入が容易にできるものが期待されている。【００１０】本考案は、以上の事情に鑑みてなされたものであり、分解状態、組立状態のいずれにおいても、大型重量ソファーを嵌脱可能にして、分解状態での保管時、輸送時の管理コストを低減でき、製品完成後には肘掛部とソファー部と座板部と背板部と組み合わせ、簡単且つ安全に部品を分解した後に容易に組み立てができ、座席部表面に着磁できる化粧板を全体的に張り付け、前記座板体の表面にソファー体の底部にマグネットシートを貼って、簡単に座席部に着磁させるとともに、底面に取り付けた肘掛部、又は立型物入部を座席部に着磁させることができるようになっている大型ソファーができれば、簡単に分解、組立が可能になる。それによって納入業者や運送業者の便宜に資することができる分解と、組み立てできる嵌脱可能な大型ソファーに提供することを課題にしている。
【課題を解決するための手段】
【００１１】脚付き座板体と座席部と背凭れ部からなるクッション体からなる大型ソファーで、脚付き座板体は、座板の表面に磁着可能な化粧板を張って長手方向の両隅に握り拳状の止め部を持つ木製平板材で、前記木製平板材の座板の裏面の両隅に４本の脚を持っており、クッション体は、座席部と背凭れ部とを連結して椅子状形態になった皮、又は布で外回りを縫製されたスポンジ体であって、前記座席部の上にマグネットを張り付け、前記座板体の表面にマグネットを底面に取り付けた肘掛部および関連用具を置くことができるようになっているクッション組み換え容易なソファーである。関連用具は、照明器具、小物入れ、本、書類入れ、食器入れなどである。【００１２】前記座板体の表面に張られた磁着可能な化粧板は、マグネット体を吸着させることができる２０〜５００μｍ厚さの突板、又は紙、又は樹脂フィルムから選ばれた表装材と２５〜２００μｍ厚さのスチール箔を木質上に張った磁着材料であり、前記座板体は、厚さ２０〜５０ｍｍ、横幅８００〜１０００ｍｍ、縦長さ２０００〜２５００ｍｍの木質平板材の表面に前記磁着材料である化粧板を貼着した積層体であって、前記化粧板の表面は強力な磁気吸着力を発揮できる強磁性体である。【００１３】クッション体の座席部、及び肘掛部および関連用具の下に張るマグネットは、残留磁束密度（Ｂｒ）＝１〜１３ｋＧ，  保磁力（Ｈｃ）＝１〜１０ｋＯｅ、をもっているフェライト系、又は希土類系磁性体の固形体、又はシート体であって、シート体では張るマグネットは、フェライト系、希土類系磁石の粉末を樹脂、又はゴムとの混合した２〜７ｍｍ厚さのシート状にしたものである。【００１４】主要構成である脚付き座板体と座席部と背凭れ部からなるクッション体とからなるソファーは、中心座台に当たる脚付き座板体の上部に皮、又は布で外回りを縫製されたスポンジ状体に身体を寄せることが可能な座席部と背凭れ部とを連結して椅子状形態になって、裏面にマグネットを付けたクッション体を磁着させた大型ソファーであって、ソファー全体の高さ５００〜８００ｍｍ、奥行き８００〜１２００ｍｍ、幅２０００〜２５００ｍｍの寸法で、全体重量を３０ｋｇ以下のものであり、座板体に脚を付け、肘掛部とクッション体とに磁着させて、幅１５０〜３００ｍｍ、高さ３００〜５００ｍｍのマグネット付き肘掛部と関連用具部とを取り付けている。【００１５】座席部と背凭れ部からなるクッション体からなるソファーでの座席部と背凭れ部とを連結して椅子状形態になった皮、又は布で外回りを縫製されたスポンジ状体からなるクッション体の１〜３連体からなるソファーにおいて、座席部と背凭れ部クッション体の一体の寸法は、幅長さ５００〜７００ｍｍで、座席部の厚さ１３０〜１７０ｍｍ、幅８００〜１０００ｍｍで、背凭れ部の厚さ１５０〜１８０ｍｍ、高さ４００〜５００ｍｍであり、全体のクッション体の幅長さ５００〜２１００ｍｍであって、クッション体、肘掛部、関連用具部を、脚付き座板体から取り外し、組み換えして、簡単に磁着取り付けできる。
【考案の効果】
【００１６】脚付き座板体で、座板の表面に磁着可能な化粧板を張って長手方向の両隅に握り拳状の止め部を持つ木製平板材で、肘掛部と座板部とクッション部とからなる大型ソファーにおいて、座席部の上にマグネットシートを全体的に張り付け、前記座板体の表面にマグネットシートを底面に取り付けた肘掛部、又は立型物入部を置くことができるクッション変更可能な大型ソファーによって肘掛部と座板部と背板部とクッション部との組立状態で再構できるように分解が可能なであり、座席部と背板付きクッション部と相互に簡単に分解・組立の嵌合できており、肘掛部と座席部とクッション部と関連用具部の組み換えを簡単に可能にした。【００１７】また大型ソファーにおいて、座板本体に磁着状態で相互を簡潔的に接合させて、両脚付き座板体の磁着した化粧板とソファー本体部とに取り付けたマグネットと磁着することより、保管時、輸送時の管理コストを低減でき、製品完成後には、座板とソファーと肘掛と簡単に嵌脱可能な組み合わせることができた。
また、それによって大型である組立・分解容易なソファーを高層住宅、あるいは狭間の玄関をもつ建築物などへの搬入、運搬などの搬送と設置に対して簡易になった。
【図面の簡単な説明】
【００２０】
【図１】クッション組み換え容易なソファーの斜視図。
【図２】クッション組み換え容易なソファーの脚付き磁着座板体の図。
【図３】クッション組み換え容易なソファー着磁による組み立て各部品を示す状態図。Ａ：肘掛部品  Ｂ：  クッション
【図４】クッション組み換え容易なソファーのマグネット付きクッション体の部品を取り付けた状態を示す状態図。Ａ：部品群の状態  Ｂ：取り付けた状態
【図５】クッション組み換え容易なソファーの脚付き磁着座板体にクッションのみ使用した状態の図。
【図６】クッション組み換え容易なソファーの肘掛部、関係用具部を種々組み替えた状態図
【考案を実施するための形態】
【００２１】図１は肘掛部嵌脱可能な肘掛付大型重量ソファーの斜視図であるが、図２では肘掛部嵌脱可能な肘掛付大型重量ソファーの肘掛部取り付け側面における特殊連結金具取り付け口の位置図、図３では肘掛部嵌脱可能な肘掛付大型重量ソファー組み立て各部品を示す状態図である。
さらに図４は大型重量ソファーに使用する雌雄特殊連結金具の構造図（Ａ）と分解図（Ｂ）、および図５は、肘掛部嵌脱可能な肘掛付大型重量ソファーの雌雄連結金具を部品に取り付けた状態を示す状態図を示した。
【実施例１】
【００２２】図１で示すように、脚付き座板体と座席部と背凭れ部からなるクッション体からなる大型ソファーで、脚付き座板体は、座板の表面に磁着可能な化粧板を張って長手方向の両隅に握り拳状の止め部を持つ木製平板材で、前記木製平板材の座板の裏面の両隅に４本の脚を持っており、クッション体は、座席部と背凭れ部とを連結して椅子状形態になった合成皮革で外回りを縫製されたスポンジ状ゴム体であって、前記座席部の下にネオジウム系のマグネットシートを全体的に張り付け、前記座板体の表面での両端にマグネットシートを底面に取り付けた肘掛部を置くことができるようになっているクッション組み換え容易なソファーである。【００２３】クッション組み換え容易なソファーにおいて、脚付き座板体として、木質材の合板心材に突き板と鉄板を貼った化粧板をカットし貼り合わせフラッシュ構造の座板体を製作して、脚付き座板体の両端に無垢板を握り拳状の面形状に加工したものをフラッシュ構造の座板体の面に握り拳状の面材を接合した。無垢板をロクロで円錐型に加工、無垢板の貫材と組み合わせ脚部を製作した。前記座板体の裏面に脚部を固定して、研磨、塗装をして完成した。
またクッション部として、合板を切り出しクッションフレームの部品を製作した。座面はフラッシュ構造で片面側に突板化粧合板を使用した。フレーム部品を組み立ててクッションフレームを製作した。フレームを土台に、ウレタンフォームや綿材を乗せ貼り合わせてクッション形状を形作った。縫製したクッション表皮（革等）をかぶせ張り込んでだ。クッション下部（裏面接合部）にネオジムマグネットシートを貼り付けた。上記の脚付座板体にクッション部を乗せ（マグネットで固定）して完成させた。【００２４】図２に示すように、脚付き座板体の表面に貼る磁着可能な化粧板は、マグネット体を吸着させることができる０．５ｍｍ厚さのウォールナット系突板の表装材と、２００μｍ厚さのスチール箔を張った磁着材料であり、厚さ３０ｍｍ、横幅９００ｍｍ、縦長さ２２００ｍｍの木質平板材の表面に前記化粧板を貼着した積層体であって、前記化粧板の表面は強力な磁気吸着力が発揮できる強磁性体を有した。【００２５】また図３に示す様にクッション体の座席部の裏面に貼るネオジウムマグネットシートは、平面に貼りつける磁性シートは、厚さ３ｍｍｍの希土類系磁石の粉末をゴムとの混合したシート体にしたものでありソファー体座席部の裏面と肘掛部と立型物入部の底部に、残留磁束密度（Ｂｒ）＝約６ｋＧ，  保磁力（Ｈｃ）＝約５ｋＯｅ、をもっているネオジウム系希土類系を使用した。【００２６】脚付き座板体と座席部と背凭れ部からなるクッション体からなる大型ソファーは、中心部にある脚付き座板体を置いて、その上部に皮で外回りを縫製されたスポンジ状ゴム体に身体を寄せることが可能な座席部と背凭れ部とを連結して椅子状形態になった、裏面にマグネットを付けたクッション体を置いた大型ソファーであって、ソファー全体の高さ５００ｍｍ、奥行き９００ｍｍ、幅２２００ｍｍの寸法で、全体重量を３０ｋｇ以下のものであり、座板体に脚を付け、肘掛部とクッション体とに取り付けて、幅３００ｍｍ、高さ４００ｍｍのネオジウムマグネット付き肘掛部とを取り付けた。【００２７】図３に示すように、座席部と背凭れ部からなるクッション体からなる大型ソファーでの座席部と背凭れ部とを連結して椅子状形態になった皮で外回りを縫製されたスポンジ状ゴム体からなった。また二連体のソファーは、図５に示すように一連体の幅長さ７００ｍｍで、座席部の厚さ１５０ｍｍ、幅８００ｍｍで、背凭れ部の厚さ１５０ｍｍ、高さ５００ｍｍであり、全体の幅長さ１４０００ｍｍであって、簡単に脚付き座板体から取り外し、位置変更して取り付けることができた。
【実施例２】
【００２８】実施例１と同様に、図４に示す脚付き座板体と座席部と背凭れ部からなるクッション体からなる大型ソファーで、脚付き座板体は、座板の表面に磁着可能な化粧板を張って長手方向の両隅に握り拳状の止め部を持つ木製平板材で、前記木製平板材の座板の裏面の両隅に４本の脚を持っており、クッション体は、座席部と背凭れ部とを連結して椅子状形態になった皮、又は布で外回りを縫製されたスポンジ状ゴム体であって、前記座席部の下にマグネットシートを全体的に張り付け、前記座板体の表面での両端にマグネットシートを底面に取り付けた立型物入部を置くことができるようになっているクッション組み換え容易なソファーであった。【００２９】図２に示すように、脚付き座板体の表面に貼る磁着可能な化粧板は、マグネット体を吸着させることができる０．５ｍｍ厚さのウォールナット系突板の表装材と、２００μｍ厚さのスチール箔を張った磁着材料であり、厚さ３０ｍｍ、横幅９００ｍｍ、縦長さ２２００ｍｍの木質平板材の表面に前記化粧板を貼着した積層体であって、前記化粧板の表面は強力な磁気吸着力が発揮できる強磁性体を有した。また図３に示す様にクッション体の座席部の裏面に貼るネオジウムマグネットシートは、平面に貼りつける磁性シートは、厚さ３ｍｍｍの希土類系磁石の粉末をゴムとの混合したシート体にしたものでありソファー体座席部の裏面と肘掛部と立型物入部の底部に、残留磁束密度（Ｂｒ）＝約６ｋＧ，  保磁力（Ｈｃ）＝約５ｋＯｅ、をもっているネオジウム系希土類系を使用した。【００３０】脚付き座板体と座席部と背凭れ部からなるクッション体からなる大型ソファーは、中心部にある脚付き座板体を置いて、その上部に布で外回りを縫製されたスポンジ状ゴム体に身体を寄せることが可能な座席部と背凭れ部とを連結して椅子状形態になった、裏面にマグネットを付けたクッション体を置いた大型ソファーであって、ソファー全体の高さ７００ｍｍ、奥行き９００ｍｍ、幅２０００ｍｍの寸法で、全体重量を３０ｋｇ以下のものであり、図４に示すように、座板体に脚を付け、クッション体とに取り付けて、両脇に照明スタンドと物入皿との立型物入部を着磁させた。【００３１】座席部と背凭れ部からなるクッション体からなる大型ソファーでの座席部と背凭れ部とを連結して椅子状形態になった皮、又は布で外回りを縫製されたスポンジ状ゴム体からなる、二連体のソファーは、一連体の座席部の厚さ１５０ｍｍ、幅８００ｍｍで、背凭れ部の厚さ１５０ｍｍ、高さ４００ｍｍであり、全体の幅長さ１６００ｍｍであって、簡単に脚付き座板体から両脇に照明スタンドと物入皿との立型物入部取り外し、図５のように位置変更して取り付けできた。
【実施例３】
【００３２】実施例１と同様にして、脚付き座板体と座席部と背凭れ部からなるクッション体からなる大型ソファーで、脚付き座板体は、座板の表面に磁着可能な化粧板を張って長手方向の両隅に握り拳状の止め部を持つ木製平板材で、前記木製平板材の座板の裏面の両隅に４本の脚を持っており、クッション体は、座席部と背凭れ部とを連結して椅子状形態になった皮、で外回りを縫製されたスポンジ状ゴム体であって、前記座席部の下にマグネットシートを全体的に張り付け、前記座板体の表面での両端にマグネットシートを底面に取り付けた肘掛部、又は立型物入部を置くことができるようになっている組立・分解容易な大型ソファーである。【００１４】図６で示すように、脚付き座板体と座席部と背凭れ部からなるクッション体からなる大型ソファーは、中心部にある脚付き座板体を置いて、その上部に皮で外回りを縫製されたスポンジ状ゴム体に身体を寄せることが可能な座席部と背凭れ部とを連結して椅子状形態になった、裏面にマグネットを付けたクッション体を置いた大型ソファーであって、ソファー全体の高さ６００ｍｍ、奥行き９００ｍｍ、幅２２００の寸法で、全体重量を３０ｋｇ以下のものであり、座板体に脚を付け、肘掛部とクッション体とに取り付けて、幅１５０〜３００ｍｍ、高さ３００〜５００ｍｍのマグネット付き肘掛部と立型物入部を取り付けた。【００１５】座席部と背凭れ部からなるクッション体からなる大型ソファーでの座席部と背凭れ部とを連結して椅子状形態になった皮で外回りを縫製されたスポンジ状ゴム体からなる、肘掛二連体のソファーであったが、一連体の幅長さ７００ｍｍで、座席部の厚さ１７０ｍｍ、幅９００ｍｍで、背凭れ部の厚さ１７０ｍｍ、高さ４００ｍｍであり、簡単に脚付き座板体から取り外し、位置変更して取り付けできた。
【符号の説明】
【００３７】１．脚付き座板体
２．背凭れ部一体のクッション体
３．ソファー
４．木製平板材
５．握り拳状の止め部
６．磁着可能な化粧板
７．座板体
８．座席部
９．背凭れ部
１０．接合部
１１．マグネットシート
１２．肘掛部
１３．関係用具部
１４．クッション組み換え容易なソファー
１５．スポンジ状体
【図１】
0003224799.tif 000003
【図２】
0003224799.tif 000004
【図３】
0003224799.tif 000005
【図４】
0003224799.tif 000006
【図５】
0003224799.tif 000007
【図６】
0003224799.tif 000008